(57)【要約】支配的な干渉シナリオにおける通信は、セル間干渉調整（ＩＣＩＣ）を実行することによってサポートされうる。強い干渉元のノードＢの近傍に位置するサービス提供ノードＢへリソースを割り当てるために、リソース調整／分割が実行されうる。干渉元のノードＢは、恐らくは共通の基準信号（ＣＲＳ）を除き、割り当てられた／保護されたリソースにおける送信を回避しうる。その後、ＵＥは、干渉元のノードＢの存在下において、保護されたリソースで、サービス提供しているノードＢと通信しうる。そして、（恐らくはＣＲＳを除き、）干渉元のノードＢからの干渉を観察しない。干渉元のＣＲＳトーンが、サービス提供しているセルの制御／データ・トーンと衝突しうる場合、ＣＲＳ干渉除去（ＣＲＳ  ＩＣ）、または、干渉を受けたリソース要素（ＲＥ）のパンクチャが適切でありうる。本開示のある態様は技術を提供する。ここでは、ＵＥは、あるパラメータに基づいて、ＣＲＳ  ＩＣとＲＥパンクチャとを動的に切り換えうる。
2013543324.tif 000002
【特許請求の範囲】
【請求項１】
無線通信のための方法であって、
サービス提供しているノードＢの送信と、１または複数のサービス提供していないノードＢの送信との干渉を受けたサブフレームを特定することと、ここで、前記サブフレームは、前記サービス提供しているノードＢと、前記１または複数のサービス提供していないノードＢとの間のリソースの協調的な分割に基づいて特定される、
前記干渉に関連するパラメータを測定することと、
前記干渉を低減するために、前記サブフレームのリソース要素（ＲＥ）をパンクチャするか、または、共通基準信号干渉除去（ＣＲＳ  ＩＣ）を実行するかを、前記測定されたパラメータに基づいて決定することと、
を備える方法。
【請求項２】
前記パラメータは、ＣＲＳ  ＩＣの品質尺度と、前記サービス提供していないノードＢのおのおのの受信信号強度と、前記干渉を受けたＲＥの量を示す数と、伝送ブロック・サイズ（ＴＢＳ）とのうちの少なくとも１つを備える、請求項１に記載の方法。
【請求項３】
前記サブフレームのＲＥをパンクチャするか、または、前記ＣＲＳ  ＩＳを実行するかを決定することは、サブフレーム毎に、前記サブフレームのＲＥ毎に、別の時間単位または周波数単位毎に、またはサービス提供していないノードＢ毎に行われる、請求項１に記載の方法。
【請求項４】
前記１または複数のサービス提供していないノードＢの送信は、ＣＲＳ送信を備える、請求項１に記載の方法。
【請求項５】
前記ＣＲＳ  ＩＣを実行することは、前記サービス提供しているノードＢの送信と、前記１または複数のサービス提供していないノードＢの送信とから、前記１または複数のサービス提供していないノードＢのＣＲＳ送信のうちの少なくとも１つのＣＲＳ送信を引き去ることを備える、請求項４に記載の方法。
【請求項６】
前記干渉を受けたサブフレームを特定することは、
前記１または複数のサービス提供していないノードＢのおのおのの受信信号強度を測定することと、
前記サービス提供していないノードＢのうちの少なくとも１つについて測定された受信信号強度が、しきい値よりも高いか否かを判定することと
を備える、請求項１に記載の方法。
【請求項７】
前記１または複数のサービス提供していないノードＢのおのおのの受信信号強度を測定することは、近隣セル探索から強度メトリックを受信することを備える、請求項６に記載の方法。
【請求項８】
前記１または複数のサービス提供していないノードＢのおのおのの受信信号強度を測定することは、前記１または複数のサービス提供していないノードＢのおのおののから受信されるＣＲＳ電力を推定することを備える、請求項６に記載の方法。
【請求項９】
前記サブフレームのＲＥをパンクチャすることは、前記干渉を受けているサブフレームのＲＥから生成されたログ尤度比（ＬＬＲ）をゼロ・アウトすることを備える、請求項１に記載の方法。
【請求項１０】
前記サブフレームのＲＥをパンクチャすることは、前記干渉をうけているサブフレームのＲＥから生成されたログ尤度比（ＬＬＲ）に、係数を掛けることを備える、請求項１に記載の方法。
【請求項１１】
前記係数は０以上１以下である、請求項１０に記載の方法。
【請求項１２】
無線通信のための装置であって、
サービス提供しているノードＢの送信と、１または複数のサービス提供していないノードＢの送信との干渉を受けたサブフレームを特定する手段と、ここで、前記サブフレームは、前記サービス提供しているノードＢと、前記１または複数のサービス提供していないノードＢとの間のリソースの協調的な分割に基づいて特定される、
前記干渉に関連するパラメータを測定する手段と、
前記干渉を低減するために、前記サブフレームのリソース要素（ＲＥ）をパンクチャするか、または、共通基準信号干渉除去（ＣＲＳ  ＩＣ）を実行するかを、前記測定されたパラメータに基づいて決定する手段と、
を備える装置。
【請求項１３】
前記パラメータは、ＣＲＳ  ＩＣの品質尺度と、前記サービス提供していないノードＢのおのおのの受信信号強度と、前記干渉を受けたＲＥの量を示す数と、伝送ブロック・サイズ（ＴＢＳ）とのうちの少なくとも１つを備える、請求項１２に記載の装置。
【請求項１４】
前記サブフレームのＲＥをパンクチャするか、または、前記ＣＲＳ  ＩＳを実行するかを決定する手段は、サブフレーム毎に、前記サブフレームのＲＥ毎に、別の時間単位または周波数単位毎に、またはサービス提供していないノードＢ毎に行われる、請求項１２に記載の装置。
【請求項１５】
前記１または複数のサービス提供していないノードＢの送信は、ＣＲＳ送信を備える、請求項１２に記載の装置。
【請求項１６】
前記ＣＲＳ  ＩＣを実行する手段は、前記サービス提供しているノードＢの送信と、前記１または複数のサービス提供していないノードＢの送信とから、前記１または複数のサービス提供していないノードＢのＣＲＳ送信のうちの少なくとも１つのＣＲＳ送信を引き去る手段を備える、請求項１５に記載の装置。
【請求項１７】
前記干渉を受けたサブフレームを特定する手段は、
前記１または複数のサービス提供していないノードＢのおのおのの受信信号強度を測定する手段と、
前記サービス提供していないノードＢのうちの少なくとも１つについて測定された受信信号強度が、しきい値よりも高いか否かを判定する手段と
を備える、請求項１２に記載の装置。
【請求項１８】
前記１または複数のサービス提供していないノードＢのおのおのの受信信号強度を測定する手段は、近隣セル探索から強度メトリックを受信する手段を備える、請求項１７に記載の装置。
【請求項１９】
前記１または複数のサービス提供していないノードＢのおのおのの受信信号強度を測定する手段は、前記１または複数のサービス提供していないノードＢのおのおののから受信されるＣＲＳ電力を推定する手段を備える、請求項１７に記載の装置。
【請求項２０】
前記サブフレームのＲＥをパンクチャする手段は、前記干渉を受けているサブフレームのＲＥから生成されたログ尤度比（ＬＬＲ）をゼロ・アウトする手段を備える、請求項１２に記載の装置。
【請求項２１】
前記サブフレームのＲＥをパンクチャする手段は、前記干渉をうけているサブフレームのＲＥから生成されたログ尤度比（ＬＬＲ）に、係数を掛ける手段を備える、請求項１２に記載の装置。
【請求項２２】
前記係数は０以上１以下である、請求項２１に記載の装置。
【請求項２３】
無線通信のための装置であって、
サービス提供しているノードＢの送信と、１または複数のサービス提供していないノードＢの送信との干渉を受けたサブフレームを特定することと、ここで、前記サブフレームは、前記サービス提供しているノードＢと、前記１または複数のサービス提供していないノードＢとの間のリソースの協調的な分割に基づいて特定される、
前記干渉に関連するパラメータを測定することと、
前記干渉を低減するために、前記サブフレームのリソース要素（ＲＥ）をパンクチャするか、または、共通基準信号干渉除去（ＣＲＳ  ＩＣ）を実行するかを、前記測定されたパラメータに基づいて決定することと
を実行するように構成された少なくとも１つのプロセッサと、
前記少なくとも１つのプロセッサに接続されたメモリと、
を備える装置。
【請求項２４】
前記パラメータは、ＣＲＳ  ＩＣの品質尺度と、前記サービス提供していないノードＢのおのおのの受信信号強度と、前記干渉を受けたＲＥの量を示す数と、伝送ブロック・サイズ（ＴＢＳ）とのうちの少なくとも１つを備える、請求項２３に記載の装置。
【請求項２５】
前記サブフレームのＲＥをパンクチャするか、または、前記ＣＲＳ  ＩＳを実行するかを決定するように構成された前記少なくとも１つのプロセッサは、サブフレーム毎に、前記サブフレームのＲＥ毎に、別の時間単位または周波数単位毎に、またはサービス提供していないノードＢ毎に行われる、請求項２３に記載の装置。
【請求項２６】
前記１または複数のサービス提供していないノードＢの送信は、ＣＲＳ送信を備える、請求項２３に記載の装置。
【請求項２７】
前記ＣＲＳ  ＩＣを実行するように構成された前記少なくとも１つのプロセッサは、前記サービス提供しているノードＢの送信と、前記１または複数のサービス提供していないノードＢの送信とから、前記１または複数のサービス提供していないノードＢのＣＲＳ送信のうちの少なくとも１つのＣＲＳ送信を引き去ることを備える、請求項２６に記載の装置。
【請求項２８】
前記干渉を受けたサブフレームを特定するように構成された少なくとも１つのプロセッサは、
前記１または複数のサービス提供していないノードＢのおのおのの受信信号強度を測定することと、
前記サービス提供していないノードＢのうちの少なくとも１つについて測定された受信信号強度が、しきい値よりも高いか否かを判定することと
を備える、請求項２３に記載の装置。
【請求項２９】
前記１または複数のサービス提供していないノードＢのおのおのの受信信号強度を測定するように構成された前記少なくとも１つのプロセッサは、近隣セル探索から強度メトリックを受信することを備える、請求項２８に記載の装置。
【請求項３０】
前記１または複数のサービス提供していないノードＢのおのおのの受信信号強度を測定するように構成された前記少なくとも１つのプロセッサは、前記１または複数のサービス提供していないノードＢのおのおののから受信されるＣＲＳ電力を推定することを備える、請求項２８に記載の装置。
【請求項３１】
前記サブフレームのＲＥをパンクチャするように構成された前記少なくとも１つのプロセッサは、前記干渉を受けているサブフレームのＲＥから生成されたログ尤度比（ＬＬＲ）をゼロ・アウトすることを備える、請求項２３に記載の装置。
【請求項３２】
前記サブフレームのＲＥをパンクチャするように構成された少なくとも１つの前記プロセッサは、前記干渉をうけているサブフレームのＲＥから生成されたログ尤度比（ＬＬＲ）に、係数を掛けることを備える、請求項２３に記載の装置。
【請求項３３】
前記係数は０以上１以下である、請求項３２に記載の装置。
【請求項３４】
無線通信のためのコンピュータ・プログラム製品であって、
サービス提供しているノードＢの送信と、１または複数のサービス提供していないノードＢの送信との干渉を受けたサブフレームを特定することと、ここで、前記サブフレームは、前記サービス提供しているノードＢと、前記１または複数のサービス提供していないノードＢとの間のリソースの協調的な分割に基づいて特定される、
前記干渉に関連するパラメータを測定することと、
前記干渉を低減するために、前記サブフレームのリソース要素（ＲＥ）をパンクチャするか、または、共通基準信号干渉除去（ＣＲＳ  ＩＣ）を実行するかを、前記測定されたパラメータに基づいて決定することと、
のためのコードを有するコンピュータ読取可能な媒体を備える、
コンピュータ・プログラム製品。
【請求項３５】
前記パラメータは、ＣＲＳ  ＩＣの品質尺度と、前記サービス提供していないノードＢのおのおのの受信信号強度と、前記干渉を受けたＲＥの量を示す数と、伝送ブロック・サイズ（ＴＢＳ）とのうちの少なくとも１つを備える、請求項３４に記載のコンピュータ・プログラム製品。
【請求項３６】
前記サブフレームのＲＥをパンクチャするか、または、前記ＣＲＳ  ＩＳを実行するかを決定するためのコードは、サブフレーム毎に、前記サブフレームのＲＥ毎に、別の時間単位または周波数単位毎に、またはサービス提供していないノードＢ毎に行われる、請求項３４に記載のコンピュータ・プログラム製品。
【請求項３７】
前記１または複数のサービス提供していないノードＢの送信は、ＣＲＳ送信を備える、請求項３４に記載のコンピュータ・プログラム製品。
【請求項３８】
前記ＣＲＳ  ＩＣを実行するためのコードは、前記サービス提供しているノードＢの送信と、前記１または複数のサービス提供していないノードＢの送信とから、前記１または複数のサービス提供していないノードＢのＣＲＳ送信のうちの少なくとも１つのＣＲＳ送信を引き去るためのコードを備える、請求項３７に記載のコンピュータ・プログラム製品。
【請求項３９】
前記干渉を受けたサブフレームを特定するためのコードは、
前記１または複数のサービス提供していないノードＢのおのおのの受信信号強度を測定することと、
前記サービス提供していないノードＢのうちの少なくとも１つについて測定された受信信号強度が、しきい値よりも高いか否かを判定することと
のためのコードを備える、請求項３４に記載のコンピュータ・プログラム製品。
【請求項４０】
前記１または複数のサービス提供していないノードＢのおのおのの受信信号強度を測定するためのコードは、近隣セル探索から強度メトリックを受信するためのコードを備える、請求項３９に記載のコンピュータ・プログラム製品。
【請求項４１】
前記１または複数のサービス提供していないノードＢのおのおのの受信信号強度を測定するためのコードは、前記１または複数のサービス提供していないノードＢのおのおののから受信されるＣＲＳ電力を推定するためのコードを備える、請求項３９に記載のコンピュータ・プログラム製品。
【請求項４２】
前記サブフレームのＲＥをパンクチャするためのコードは、前記干渉を受けているサブフレームのＲＥから生成されたログ尤度比（ＬＬＲ）をゼロ・アウトするためのコードを備える、請求項３４に記載のコンピュータ・プログラム製品。
【請求項４３】
前記サブフレームのＲＥをパンクチャするためのコードは、前記干渉をうけているサブフレームのＲＥから生成されたログ尤度比（ＬＬＲ）に、係数を掛けるためのコードを備える、請求項３４に記載のコンピュータ・プログラム製品。
【請求項４４】
前記係数は０以上１以下である、請求項４３に記載のコンピュータ・プログラム製品。
【発明の詳細な説明】
【関連出願に対する相互参照】
【０００１】
本願は、全体が参照によって本明細書に明確に組み込まれている２０１０年１０月６日出願の米国仮出願６１／３９０，５３３号に対する優先権を主張する。
【技術分野】
【０００２】
本開示の態様は、一般に、無線通信に関し、さらに詳しくは、干渉除去かパンクチャかを動的に切り換えるための技術に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクにおいては、基地局からの送信が、近隣の基地局からの送信による干渉を観察しうる。アップリンクにおいては、ＵＥからの送信が、近隣の基地局と通信する他のＵＥからの送信への干渉をもたらしうる。この干渉は、ダウンリンクとアップリンクとの両方のパフォーマンスを低下させうる。
【発明の概要】
【０００６】
本開示の態様では、無線通信のための方法が提供される。この方法は一般に、サービス提供しているノードＢの送信と、１または複数のサービス提供していないノードＢの送信との干渉を受けたサブフレームを特定することと、ここで、サブフレームは、サービス提供しているノードＢと、１または複数のサービス提供していないノードＢとの間のリソースの協調的な分割に基づいて特定される、干渉に関連するパラメータを測定することと、干渉を低減するために、サブフレームのリソース要素（ＲＥ）をパンクチャするか、または、共通基準信号干渉除去（ＣＲＳ  ＩＣ）を実行するかを、測定されたパラメータに基づいて決定することと、を含む。
【０００７】
本開示の態様では、無線通信のための装置が提供される。この装置は一般に、サービス提供しているノードＢの送信と、１または複数のサービス提供していないノードＢの送信との干渉を受けたサブフレームを特定する手段と、ここで、サブフレームは、サービス提供しているノードＢと、１または複数のサービス提供していないノードＢとの間のリソースの協調的な分割に基づいて特定される、干渉に関連するパラメータを測定する手段と、干渉を低減するために、サブフレームのリソース要素（ＲＥ）をパンクチャするか、または、共通基準信号干渉除去（ＣＲＳ  ＩＣ）を実行するかを、測定されたパラメータに基づいて決定する手段と、を含む。
【０００８】
本開示の態様では、無線通信のための装置が提供される。この装置は、一般に、少なくとも１つのプロセッサと、少なくとも１つのプロセッサに接続されたメモリとを含む。この少なくとも１つのプロセッサは一般に、サービス提供しているノードＢの送信と、１または複数のサービス提供していないノードＢの送信との干渉を受けたサブフレームを特定することと、ここで、サブフレームは、サービス提供しているノードＢと、１または複数のサービス提供していないノードＢとの間のリソースの協調的な分割に基づいて特定される、干渉に関連するパラメータを測定することと、干渉を低減するために、サブフレームのリソース要素（ＲＥ）をパンクチャするか、または、共通基準信号干渉除去（ＣＲＳ  ＩＣ）を実行するかを、測定されたパラメータに基づいて決定することと、を実行するように構成される。
【０００９】
本開示の態様では、無線通信のためのコンピュータ・プログラム製品が提供される。このコンピュータ・プログラム製品は、一般に、サービス提供しているノードＢの送信と、１または複数のサービス提供していないノードＢの送信との干渉を受けたサブフレームを特定することと、ここで、サブフレームは、サービス提供しているノードＢと、１または複数のサービス提供していないノードＢとの間のリソースの協調的な分割に基づいて特定される、干渉に関連するパラメータを測定することと、干渉を低減するために、サブフレームのリソース要素（ＲＥ）をパンクチャするか、または、共通基準信号干渉除去（ＣＲＳ  ＩＣ）を実行するかを、測定されたパラメータに基づいて決定することと、のためのコードを有するコンピュータ読取可能な媒体を含む。
【図面の簡単な説明】
【００１０】
【図１】図１は、本開示のある態様にしたがう無線通信ネットワークの例を概念的に例示するブロック図である。
【図２】図２は、本開示のある態様にしたがう無線通信ネットワークにおいて、ユーザ機器デバイス（ＵＥ）と通信しているノードＢの例を概念的に例示するブロック図である。
【図３】図３は、本開示のある態様にしたがう無線通信ネットワークにおけるフレーム構造の例を概念的に例示するブロック図である。
【図４】図４は、本開示のある態様にしたがって、通常のサイクリック・プレフィクスを用いたダウンリンクのための２つの典型的なサブフレーム・フォーマットを例示する。
【図５】図５は、本開示のある態様にしたがう典型的な支配的干渉シナリオを図示する。
【図６】図６は、本開示のある態様にしたがう、ヘテロジニアスなネットワークにおけるサブフレームの協調的な分割の例を例示する。
【図７】図７は、本開示のある態様にしたがって、共通基準信号干渉除去（ＣＲＳ  ＩＣ）かリソース要素（ＲＥ）パンクチャかを、干渉に関連するパラメータに基づいて、動的に切り換えることができる、ＵＥおよびサービス提供ノードＢを備えたシステムの例を例示する。
【図８】図８は、本開示のある態様にしたがって、ＣＲＳ  ＩＣかＲＥパンクチャかを、干渉に関連するパラメータに基づいて動的に切り換えるための動作の例を例示する。
【発明を実施するための形態】
【００１１】
支配的な干渉シナリオにおける通信は、セル間干渉調整（ＩＣＩＣ）を実行することによってサポートされうる。ＩＣＩＣのある態様によれば、強い干渉元のノードＢの近傍に位置するサービス提供ノードＢにリソースを割り当てるために、リソース調整／分割が実行されうる。干渉元のノードＢは、恐らくは共通基準信号（ＣＲＳ）を除き、割り当てられた／保護されたリソースにおける送信を回避しうる。その後、ＵＥは、干渉元のノードＢの存在下において、サービス提供しているノードＢと、保護されたリソースにおいて通信しうる。そして、（恐らくはＣＲＳを除き、）干渉元のノードＢからの干渉を観察しない。干渉元のＣＲＳトーンが、サービス提供しているセルの制御／データ・トーンと衝突しうる場合、ＣＲＳ干渉除去（ＣＲＳ  ＩＣ）、または、干渉を受けたリソース要素（ＲＥ）のパンクチャが適切でありうる。本開示のある態様は技術を提供する。ここでは、ＵＥは、あるパラメータに基づいて、ＣＲＳ  ＩＣかＲＥパンクチャかを動的に切り換えうる。
【００１２】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（ＷＣＤＭＡ（登録商標））、時分割同期ＣＤＭＡ（ＴＤ−ＳＣＤＭＡ）、およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）およびＬＴＥアドバンスト（ＬＴＥ−Ａ）は、周波数分割デュプレクス（ＦＤＤ）と時分割デュプレクス（ＴＤＤ）との両方において、ダウンリンクではＯＦＤＭＡを適用し、アップリンクではＳＣ−ＦＤＭＡを適用するＥ−ＵＴＲＡを用いるＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナシップ計画」（３ＧＰＰ）と命名された団体からの文書に記載されている。ｃｄｍａ２０００およびＵＭＢは、「第３世代パートナシップ計画２」（３ＧＰＰ２）と命名された団体からの文書に記載されている。本明細書において記載された技術は、他の無線ネットワークおよびラジオ技術と同様に、前述された無線ネットワークおよびラジオ技術のために使用されうる。明確化のために、これら技術のある態様は、以下において、ＬＴＥに関して記載されており、ＬＴＥ用語が以下の説明の多くで使用される。
【００１３】
図１は、干渉除去かパンクチャかを動的に切り換えるために、記述された手順が実行されうる無線通信ネットワーク１００を示す。このネットワーク１００は、ＬＴＥネットワークまたはその他いくつかの無線ネットワークでありうる。無線ネットワーク１００は、多くのイボルブド・ノードＢ（ｅＮＢ）１１０およびその他のネットワーク・エンティティを含みうる。ｅＮＢは、ＵＥと通信するエンティティであり、基地局、ノードＢ、アクセス・ポイント等とも称されうる。おのおののｅＮＢは、特定の地理的エリアのために通信有効通信範囲を提供する。３ＧＰＰでは、用語「セル」は、この用語が使用されるコンテキストに依存して、この有効通信範囲エリアにサービス提供しているｅＮＢおよび／またはｅＮＢサブシステムからなる有効通信範囲エリアを称しうる。
【００１４】
ｅＮＢは、マクロ・セル、ピコ・セル、フェムト・セル、および／または、その他のタイプのセルのために、通信有効通信範囲を提供しうる。マクロ・セルは、比較的大きな地理的エリア（例えば、半径数キロメータ）をカバーし、サービス加入を持つＵＥによる無制限のアクセスを許可しうる。ピコ・セルは、比較的小さな地理的エリアをカバーし、サービス加入を持つＵＥによる無制限のアクセスを許可しうる。フェムト・セルは、比較的小さな地理的エリア（例えば、住宅）をカバーし、フェムト・セルとの関連を持つＵＥ（例えば、クローズド加入者グループ（ＣＳＧ）におけるＵＥ）によって制限されたアクセスを許可しうる。マクロ・セルのためのｅＮＢは、マクロｅＮＢと称されうる。ピコ・セルのためのｅＮＢは、ピコｅＮＢと称されうる。フェムト・セルのためのｅＮＢは、フェムトｅＮＢまたはホームｅＮＢ（ＨｅＮＢ）と称されうる。図１に示す例では、ｅＮＢ１１０ａは、マクロ・セル１０２ａのためのマクロｅＮＢであり、ｅＮＢ１１０ｂは、ピコ・セル１０２ｂのためのピコｅＮＢであり、ｅＮＢ１１０ｃは、フェムト・セル１０２ｃのためのフェムトｅＮＢでありうる。ｅＮＢは、１または複数（例えば３つ）のセルをサポートしうる。「ｅＮＢ」、「基地局」、および「セル」という用語は、本明細書において置換可能に使用されうる。
【００１５】
無線ネットワーク１００はさらに、中継局をも含みうる。中継局は、データの伝送を上流局（例えば、ｅＮＢまたはＵＥ）から受信し、データの伝送を下流局（例えば、ＵＥまたはｅＮＢ）へ送信するエンティティである。中継局はまた、他のＵＥのための送信を中継するＵＥでもありうる。図１に示される例において、中継局１１０ｄは、ｅＮＢ１１０ａとＵＥ１２０ｄとの間の通信を容易にするために、マクロｅＮＢ１１０ａおよびＵＥ１２０ｄと通信しうる。中継局はまた、中継ｅＮＢ、中継基地局、リレー等とも称されうる。
【００１６】
無線ネットワーク１００はまた、例えば、マクロｅＮＢ、ピコｅＮＢ、フェムトｅＮＢ、中継ｅＮＢ等のような異なるタイプのｅＮＢを含むヘテロジニアスなネットワークでありうる。これら異なるタイプのｅＮＢは、異なる送信電力レベル、異なる有効通信範囲エリア、および、無線ネットワーク１００内の干渉に対する異なるインパクトを有しうる。例えば、マクロｅＮＢは、高い送信電力レベル（例えば、５乃至４０ワット）を有する一方、ピコｅＮＢ、フェムトｅＮＢ、および中継ｅＮＢは、低い送信電力レベル（例えば、０．１乃至２ワット）を有しうる。
【００１７】
ネットワーク・コントローラ１３０は、ｅＮＢのセットに接続しており、これらｅＮＢに対して調整および制御を提供しうる。ネットワーク・コントローラ１３０は、バックホールを介してｅＮＢと通信しうる。ｅＮＢはまた、例えば、ダイレクトに、または、無線または有線のバックホールを介して非ダイレクトに、互いに通信しうる。
【００１８】
ある態様によれば、以下により詳しく記載されるように、ｅＮＢは、セル間干渉調整（ＩＣＩＣ）を実行しうる。ＩＣＩＣは、強い干渉元のｅＮＢの近傍に配置されたｅＮＢにリソースを割り当てるリソース調整／区分を達成するための、ｅＮＢ間でのネゴシエーションを含みうる。干渉元のｅＮＢは、恐らくはＣＲＳを除いて、割り当てられた／保護されたリソースにおける送信を回避しうる。その後、ＵＥは、干渉元のｅＮＢの存在下において、保護されたリソースでｅＮＢと通信しうる。そして、（恐らくはＣＲＳを除き、）干渉元のｅＮＢからの干渉を観察しない。
【００１９】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、スマート・フォン、ネットブック、スマートブック等でありうる。
【００２０】
図２は、図１における基地局／ｅＮＢのうちの１つ、およびＵＥのうちの１つでありうる、基地局／ｅＮＢ１１０とＵＥ１２０との設計のブロック図を示す。基地局１１０は、Ｔ個のアンテナ２３４ａ乃至２３４ｔを備え、ＵＥ１２０は、Ｒ個のアンテナ２５２ａ乃至２５２ｒを備えうる。ここで、一般に、Ｔ≧１およびＲ≧１である。
【００２１】
基地局１１０では、送信プロセッサ２２０が、１または複数のＵＥのためのデータを、データ・ソース２１２から受け取り、ＵＥから受信したＣＱＩに基づいて、各ＵＥのための１または複数の変調および符号化スキーム（ＭＣＳ）を選択し、ＵＥのために選択されたＭＣＳ（単数または複数）に基づいて、各ＵＥのためのデータを処理（例えば、符号化および変調）し、すべてのＵＥのためのデータ・シンボルを提供しうる。送信プロセッサ２２０はまた、（例えば、ＳＲＰＩ等のための）システム情報および制御情報（例えば、ＣＱＩ要求、許可、上位レイヤ・シグナリング等）を処理し、オーバヘッド・シンボルおよび制御シンボルを提供しうる。プロセッサ２２０はまた、基準信号（例えば、ＣＲＳ）および同期信号（例えば、ＰＳＳおよびＳＳＳ）のための基準シンボルを生成しうる。送信（ＴＸ）複数入力複数出力（ＭＩＭＯ）プロセッサ２３０は、適用可能であれば、データ・シンボル、制御シンボル、オーバヘッド・シンボル、および／または、基準シンボルに空間処理（例えば、プリコーディング）を実行し、Ｔ個の出力シンボル・ストリームをＴ個の変調器（ＭＯＤ）２３２ａ乃至２３２ｔに提供しうる。おのおのの変調器２３２は、（例えば、ＯＦＤＭ等のために）それぞれの出力シンボル・ストリームを処理して、出力サンプル・ストリームを得る。おのおのの変調器２３２はさらに、出力サンプル・ストリームを処理（例えば、アナログ変換、増幅、フィルタ、およびアップコンバート）し、ダウンリンク信号を取得する。変調器２３２ａ乃至２３２ｔからのＴ個のダウンリンク信号は、Ｔ個のアンテナ２３４ａ乃至２３４ｔによってそれぞれ送信されうる。
【００２２】
ＵＥ１２０では、アンテナ２５２ａ乃至２５２ｒが、基地局１１０および／またはその他の基地局からダウンリンク信号を受信し、受信した信号を、復調器（ＤＥＭＯＤ）２５４ａ乃至２５４ｒへそれぞれ提供しうる。おのおのの復調器２５４は、受信されたそれぞれの信号を調整（例えば、フィルタ、増幅、ダウンコンバート、およびデジタル化）して、入力サンプルを取得しうる。おのおのの復調器２５４はさらに、（例えば、ＯＦＤＭ等のため）これら入力サンプルを処理して、受信されたシンボルを取得しうる。ＭＩＭＯ検出器２５６は、Ｒ個すべての復調器２５４ａ乃至２５４ｒから受信したシンボルを取得し、適用可能である場合、これら受信されたシンボルに対してＭＩＭＯ検出を実行し、検出されたシンボルを提供しうる。受信プロセッサ２５８は、検出されたシンボルを処理（例えば、復調および復号）し、復号されたデータをＵＥ１２０のためにデータ・シンク２６０に提供し、復号された制御情報およびシステム情報をコントローラ／プロセッサ２８０へ提供しうる。以下に記載されるように、チャネル・プロセッサ２８４は、ＲＳＲＰ、ＲＳＳＩ、ＲＳＲＱ、ＣＱＩ等を決定しうる。
【００２３】
アップリンクでは、ＵＥ１２０において、送信プロセッサ２６４が、データ・ソース２６２からデータを、コントローラ／プロセッサ２８０から（例えば、ＲＳＲＰ、ＲＳＳＩ、ＲＳＲＱ、ＣＱＩ等を備えるレポートのための）制御情報を受け取り、これらを処理しうる。プロセッサ２６４はさらに、１または複数の基準信号のための基準シンボルを生成しうる。送信プロセッサ２６４からのシンボルは、適用可能であれば、ＴＸ  ＭＩＭＯプロセッサ２６６によってプリコードされ、さらに、（例えば、ＳＣ−ＦＤＭ、ＯＦＤＭ等のために）変調器２５４ａ乃至２５４ｒによって処理され、基地局１１０へ送信される。基地局１１０では、ＵＥ１２０およびその他のＵＥからのアップリンク信号が、アンテナ２３４によって受信され、復調器２３２によって処理され、適用可能な場合にはＭＩＭＯ検出器２３６によって検出され、さらに、受信プロセッサ２３８によって処理されて、ＵＥ１２０へ送信された復号されたデータおよび制御情報が取得される。プロセッサ２３８は、復号されたデータをデータ・シンク２３９へ提供し、復号された制御情報をコントローラ／プロセッサ２４０へ提供しうる。
【００２４】
コントローラ／プロセッサ２４０，２８０は、基地局１１０およびＵＥ１２０それぞれにおける動作を指示しうる。基地局１１０におけるプロセッサ２４０および／またはその他のプロセッサおよびモジュールは、本明細書に記載されたように、さまざまなランダム・アクセス手順のためにＵＥを設定するための動作を実行または指示し、このような手順の間、１または複数の属性を識別しうる。例えば、ＵＥ１２０におけるプロセッサ２８０および／またはその他のプロセッサおよびモジュールは、本明細書で説明されたさまざまなランダム・アクセス手順のための動作の実行または指示を行いうる。メモリ２４２，２８２は、基地局１１０およびＵＥ１２０それぞれのためのデータおよびプログラム・コードを格納しうる。スケジューラ２４４は、ダウンリンクおよび／またはアップリンクでのデータ送信のためにＵＥをスケジュールしうる。
【００２５】
図３は、ＬＴＥにおけるＦＤＤのための典型的なフレーム構造３００を示す。ダウンリンクおよびアップリンクのおのおののための送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、例えば、（図２に示すように）通常のサイクリック・プレフィクスの場合、７つのシンボル期間、拡張されたサイクリック・プレフィクスの場合、６つのシンボル期間のように、Ｌ個のシンボル期間を含みうる。おのおののサブフレームでは、２Ｌ個のシンボル期間が、０乃至２Ｌ−１のインデクスを割り当てられうる。
【００２６】
ＬＴＥでは、ｅＮＢはまた、ｅＮＢによってサポートされるおのおののセルのためのシステム帯域幅の中央の１．０８ＭＨｚで、ダウンリンクで一次同期信号（ＰＳＳ）および二次同期信号（ＳＳＳ）を送信しうる。図３に示すように、ＰＳＳおよびＳＳＳは、通常のサイクリック・プレフィクスを持つ各ラジオ・フレームのサブフレーム０およびサブフレーム５において、シンボル期間６およびシンボル期間５でそれぞれ送信されうる。ＰＳＳおよびＳＳＳは、ＵＥによって、セル探索および獲得のために使用されうる。ｅＮＢは、ｅＮＢによってサポートされているおのおののセルについて、システム帯域幅で、セル特有基準信号（ＣＲＳ）を送信しうる。ＣＲＳは、おのおののサブフレームのあるシンボル期間で送信されうる。そして、チャネル推定、チャネル品質測定、および／または、その他の機能を実行するために、ＵＥによって使用されうる。ｅＮＢはまた、あるラジオ・フレームのスロット１におけるシンボル期間０乃至３で、物理ブロードキャスト・チャネル（ＰＢＣＨ）を送信しうる。ＰＢＣＨは、いくつかのシステム情報を伝送しうる。ｅＮＢは、例えばシステム情報ブロック（ＳＩＢ）のようなその他のシステム情報を、あるサブフレームで、物理ダウンリンク共有チャネル（ＰＤＳＣＨ）で送信しうる。ｅＮＢは、サブフレームの最初のＢ個のシンボル期間において、物理ダウンリンク制御チャネル（ＰＤＣＣＨ）で制御情報／データを送信しうる。ここで、Ｂは各サブフレームについて設定可能でありうる。ｅＮＢは、各サブフレームの残りのシンボル期間において、ＰＤＳＣＨで、トラフィック・データおよび／またはその他のデータを送信しうる。
【００２７】
図４は、通常のサイクリック・プレフィクスを用いたダウンリンクのための典型的なサブフレーム・フォーマット４１０，４２０を示す。ダウンリンクのために利用可能な時間周波数リソースは、リソース・ブロックに分割されうる。おのおののリソース・ブロックは、１つのスロット内に１２のサブキャリアをカバーし、多くのリソース要素を含みうる。おのおののリソース要素は、１つのシンボル期間において１つのサブキャリアをカバーしうる。そして、実数値または複素数値である１つの変調シンボルを送信するために使用されうる。
【００２８】
サブフレーム・フォーマット４１０は、２つのアンテナを装備したｅＮＢのために使用されうる。ＣＲＳは、シンボル期間０，４，７，１１において、アンテナ０，１から送信されうる。基準信号は、送信機および受信機に演繹的に知られている信号であり、パイロットと称されうる。ＣＲＳは、例えば、セル識別情報（ＩＤ）に基づいて生成された、セルに特有の基準信号である。図４では、ラベルＲａを付された所与のリソース要素について、アンテナａから、このリソース要素で変調シンボルが送信され、他のアンテナからは、このリソース要素で、変調シンボルは送信されない。サブフレーム・フォーマット４２０は、４つのアンテナを装備したｅＮＢのために使用されうる。ＣＲＳは、シンボル期間０，４，７，１１において、アンテナ０，１から送信され、シンボル期間１，８において、アンテナ２，３から送信されうる。サブフレーム・フォーマット４１０，４２０の両方について、セルＩＤに基づいて決定されうる、等間隔で配置されたサブキャリアでＣＲＳが送信されうる。異なるｅＮＢは、これらのセルＩＤに依存して、同じキャリアまたは別のサブキャリアで、ＣＲＳを送信しうる。サブフレーム・フォーマット４１０，４２０の両方について、ＣＲＳのために使用されていないリソース要素は、データ（例えば、トラフィック・データ、制御データ、および／または、その他のデータ）を送信するために使用されうる。
【００２９】
ＬＴＥにおけるＰＳＳ、ＳＳＳ、ＣＲＳ、およびＰＢＣＨは、公的に利用可能な「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３０】
ＬＴＥでは、ＦＤＤについて、ダウンリンクおよびアップリンクのおのおののために、インタレース構造が使用されうる。例えば、０乃至Ｑ−１のインデクスを持つＱ個のインタレースが定義される。ここで、Ｑは、４，６，８，１０またはその他いくつかの値に等しい。おのおののインタレースは、Ｑ個のフレームによって間隔を置かれているサブフレームを含みうる。特に、インタレースｑは、サブフレームｑ、ｑ＋Ｑ、ｑ＋２Ｑ等を含みうる。ここでｑ∈｛０，・・・，Ｑ−１｝である。
【００３１】
無線ネットワークは、ダウンリンクおよびアップリンクにおけるデータ送信のために、ハイブリッド自動再送信（ＨＡＲＱ）をサポートしうる。ＨＡＲＱの場合、パケットが受信機（例えば、ＵＥ）によって正確に復号されるか、または、その他の終了条件に到達するまで、送信機（例えば、ｅＮＢ）は、パケットの１または複数の伝送を送りうる。同期ＨＡＲＱの場合、パケットのすべての送信が、単一のインタレースのサブフレームで送信されうる。非同期ＨＡＲＱの場合、パケットの送信はそれぞれ、任意のサブフレームで送られうる。
【００３２】
ＵＥは、複数のｅＮＢの有効通信範囲内に存在しうる。これらのｅＮＢのうちの１つが、ＵＥにサービス提供するために選択されうる。サービス提供ｅＮＢは、例えば受信信号強度、受信信号品質、経路喪失等のようなさまざまな基準に基づいて選択されうる。受信信号品質は、信号対雑音および干渉比（ＳＩＮＲ）、または基準信号受信品質（ＲＳＲＱ）、またはその他のメトリックによって定量化されうる。ＵＥは、１または複数の干渉元のｅＮＢから高い干渉を観察しうる支配的な干渉シナリオで動作しうる。
【００３３】
図５は、典型的な支配的干渉シナリオを示す。図５に図示される例では、ＵＥ  Ｔは、サービス提供しているｅＮＢ  Ｙと通信し、強い／支配的な干渉元のｅＮＢ  Ｚからの高い干渉を観察しうる。
【００３４】
支配的な干渉シナリオは、制限された関連付けによって生じうる。例えば、図５では、ｅＮＢ  Ｙは、マクロｅＮＢであり、ｅＮＢ  Ｚは、フェムトｅＮＢでありうる。ＵＥ  Ｔ  は、フェムトｅＮＢ  Ｚの近くに位置しており、ｅＮＢ  Ｚについて、高い受信電力を有しうる。しかしながら、ＵＥ  Ｔは、制限された関連付けによって、フェムトｅＮＢ  Ｚへアクセスすることができず、低い受信電力のマクロｅＮＢ  Ｙに接続しうる。ＵＥ  Ｔは、その後、ダウンリンクで、フェムトｅＮＢ  Ｚからの高い干渉を観察し、アップリンクで、フェムトｅＮＢ  Ｚへの高い干渉を引き起こしうる。
【００３５】
支配的な干渉シナリオはまた、範囲拡張によっても生じうる。これは、経路喪失が低く、かつ、ＵＥによって検出されたすべてのｅＮＢの中でも恐らくはＳＩＮＲが低いｅＮＢにＵＥが接続するシナリオである。例えば、図５では、ｅＮＢ  Ｙは、ピコｅＮＢであり、干渉元のｅＮＢ  Ｚは、マクロｅＮＢでありうる。ＵＥ  Ｔは、マクロｅＮＢ  ＺよりもピコｅＮＢ  Ｙの近くに配置され、ピコｅＮＢ  Ｙに関し低い経路喪失しか有さない。しかしながら、ＵＥ  Ｔは、マクロｅＮＢ  Ｚと比較してピコｅＮＢ  Ｙの送信電力レベルが低いことによって、ピコｅＮＢ  Ｙについて、マクロｅＮＢ  Ｚよりも低い受信電力しか有さない。それにも関わらず、ＵＥ  Ｔは、低い経路喪失によって、ピコｅＮＢ  Ｙに接続することが望ましいことがありうる。この結果、ＵＥ  Ｔにとって、所与のデータ・レートの場合、無線ネットワークへの干渉が低くなりうる。図１に戻って示すように、ピコｅＮＢ１１０ｂに接続されたＵＥ１２０ｂの場合、マクロｅＮＢ１１０ａは、恐らくは干渉元のＣＲＳ送信を除いて、割り当てられた／保護されたリソースにおける送信を回避しうる。したがって、ＵＥ１２０ｂは、干渉に関連するパラメータに基づいて、干渉元のＣＲＳ送信について、干渉除去を実行するか、または、パンクチャを実行するかを決定しうる。
【００３６】
一般に、ＵＥは、任意の数のｅＮＢの有効通信範囲内に位置しうる。１つのｅＮＢが、ＵＥにサービス提供するために選択され、残りのｅＮＢは、干渉元のｅＮＢでありうる。ＵＥは、このように、任意の数の干渉元のｅＮＢを有しうる。明瞭さのために、説明の多くは、サービス提供している１つのｅＮＢ  Ｙと、干渉元の１つのｅＮＢ  Ｚとを備えた図５に示されるシナリオを仮定する。
【００３７】
支配的な干渉シナリオにおける通信は、セル間干渉調整（ＩＣＩＣ）を実行することによってサポートされうる。ＩＣＩＣのある態様によれば、強い干渉元のｅＮＢの近傍に位置するｅＮＢへリソースを割り当てるために、リソース調整／分割が実行されうる。干渉元のｅＮＢは、恐らくはＣＲＳを除いて、割り当てられた／保護されたリソースにおける送信を回避しうる。その後、ＵＥは、干渉元のｅＮＢの存在下において、保護されたリソースでｅＮＢと通信しうる。そして、（恐らくはＣＲＳを除き、）干渉元のｅＮＢからの干渉を観察しない。
【００３８】
一般に、時間リソースおよび／または周波数リソースは、リソース分割によってｅＮＢに割り当てられうる。ある態様によれば、システム帯域幅は、多くのサブ帯域に分割されうる。そして、１または複数のサブ帯域が、ｅＮＢへ割り当てられうる。別の設計では、サブフレームのセットが、ｅＮＢに割り当てられうる。また別の設計では、リソース・ブロックのセットが、ｅＮＢに割り当てられうる。明瞭さのために、以下の説明の多くは、１または複数のインタレースがｅＮＢへ割り当てられうる時分割多重（ＴＤＭ）リソース分割設計を仮定する。割り当てられたインタレース（単数または複数）のサブフレームは、強い干渉元のｅＮＢから、低減された干渉を観察するか、または、まったく干渉を観察しない。
【００３９】
図６は、図５における支配的な干渉シナリオにおける通信をサポートするためのＴＤＭリソース分割の例を示す。図６に示される例において、ｅＮＢ  Ｙは、インタレース０を割り当てられうる。そして、ｅＮＢ  Ｚは、例えば、バックホールを介したｅＮＢ間のネゴシエーションによって、準静的または静的な方式で、インタレース７を割り当てられうる。ｅＮＢ  Ｙは、インタレース０のサブフレームでデータを送信しうる。そして、インタレース７のサブフレームでデータを送信することを回避しうる。逆に、ｅＮＢ  Ｚは、インタレース７のサブフレームでデータを送信しうる。そして、インタレース０のサブフレームでデータを送信することを回避しうる。残りのインタレース１乃至６のサブフレームは、ｅＮＢ  Ｙおよび／またはｅＮＢ  Ｚに適応的／動的に割り当てられうる。
【００４０】
表１は、１つの設計にしたがう異なるタイプのサブフレームをリストする。ｅＮＢ  Ｙの観点から、ｅＮＢ  Ｙに割り当てられたインタレースは、干渉元のｅＮＢからの干渉がほとんどまたはまったくない、ｅＮＢ  Ｙによって使用されうる「保護」サブフレーム（Ｕサブフレーム）を含みうる。別のｅＮＢ  Ｚに割り当てられたインタレースは、ｅＮＢ  Ｙによってデータ送信のために使用することができない、「禁止された」サブフレーム。（Ｎサブフレーム）を含みうる。どのｅＮＢにも割り当てられていないインタレースは、異なるｅＮＢによって使用されうる「共通」サブフレーム（Ｃサブフレーム）を含みうる。適応的に割り当てられたサブフレームは、「Ａ」プレフィクスを用いて示され、保護サブフレーム（ＡＵサブフレーム）、または禁止サブフレーム（ＡＮサブフレーム）、または共通サブフレーム（ＡＣサブフレーム）でありうる。また、別のタイプのサブフレームは、別の名前でも称されうる。例えば、保護サブフレームは、予約サブフレーム、割当サブフレーム等と称されうる。  
【表１】
2013543324.tif 000003
【００４１】
ある態様によれば、ｅＮＢは、固定されたリソース分割情報（ＳＲＰＩ：resource partitioning information）をＵＥへ送信しうる。ある態様によれば、ＳＲＰＩは、Ｑ個のインタレースのために、Ｑ個のフィールドを備えうる。各インタレースのフィールドは、ｅＮＢに割り当てられ、Ｕサブフレームを含むインタレースを示すために「Ｕ」に設定されうるか、または、別のｅＮＢに割り当てられ、Ｎサブフレームを含むインタレースを示すために「Ｎ」に設定されうるか、または、任意のｅＮＢに適応的に割り当てられ、Ｘサブフレームを含むインタレースを示すために「Ｘ」に設定されうる。ＵＥは、ｅＮＢからＳＲＰＩを受信し、ＳＲＰＩに基づいて、ｅＮＢに関するＵサブフレームおよびＮサブフレームを識別しうる。ＳＲＰＩにおいて「Ｘ」としてマークされている各インタレースについて、ＵＥは、このインタレースにおけるＸサブフレームがＡＵサブフレームになるか、ＡＮサブフレームになるか、またはＡＣサブフレームになるかを知らない場合がありうる。ＵＥは、ＳＲＰＩによるリソース分割の固定された部分しか知らないのに対し、ｅＮＢは、リソース分割の固定された部分と適応部分との両方を知りうる。図６に示される例では、ｅＮＢ  ＹのＳＲＰＩは、インタレース０について「Ｕ」を含み、インタレース７について「Ｎ」を含み、残りのおのおののインタレースについて「Ｘ」を含みうる。ｅＮＢ  ＺのＳＲＰＩは、インタレース７について「Ｕ」を含み、インタレース０について「Ｎ」を含み、残りのおのおののインタレースについて「Ｘ」を含みうる。
【００４２】
ＵＥは、サービス提供しているｅＮＢからのＣＲＳに基づいて、サービス提供しているｅＮＢの受信信号品質を推定しうる。ＵＥは、受信信号品質に基づいてＣＱＩを決定し、このＣＱＩを、サービス提供ｅＮＢへレポートしうる。サービス提供ｅＮＢは、リンク適応ためにこのＣＱＩを用い、ＵＥへのデータ送信のための変調および符号化スキーム（ＭＣＳ）を選択する。異なるタイプのサブフレームは、異なる量の干渉を有しうるので、非常に異なるＣＱＩを有しうる。特に、保護サブフレーム（例えば、ＵサブフレームおよびＡＵサブフレーム）は、良好なＣＱＩによって特徴付けられうる。なぜなら、支配的な干渉元のｅＮＢは、これらサブフレームでは送信しないからである。対照的に、１または複数の支配的な干渉元のｅＮＢが送信しうる（例えば、Ｎサブフレーム、ＡＮサブフレーム、およびＡＣサブフレームのような）その他のサブフレームの場合、ＣＱＩは、格段に悪化しうる。ＣＱＩの観点から、ＡＵサブフレームは、Ｕサブフレームと等価でありうる（ともに、保護されている）。そして、ＡＮサブフレームは、Ｎサブフレームと等価でありうる（ともに、禁止されている）。ＡＣサブフレームは、完全に異なるＣＱＩによって特徴付けられうる。良好なリンク適応パフォーマンスを達成するために、サービス提供ｅＮＢは、トラフィック・データをＵＥへ送信する各サブフレームについて、比較的正確なＣＱＩを有していなければならない。
【００４３】
（同一チャンネル・ヘテロジニアス・ネットワークにおいて、共通基準信号干渉除去かリソース要素パンクチャかを動的に切り換えること）  
前述したように、支配的な干渉シナリオにおける通信は、セル間干渉調整（ＩＣＩＣ）を実行することによってサポートされうる。ＩＣＩＣのある態様によれば、強い干渉元のノードＢの近傍に位置するサービス提供ノードＢにリソースを割り当てるために、リソース調整／分割が実行されうる。干渉元のノードＢは、恐らくはＣＲＳを除き、（例えば、図６に例示するようなＴＤＳ分割によって）割り当てられた／保護されたリソースでの送信を回避しうる。その後、ＵＥは、干渉元のノードＢの存在下において、保護されたリソースで、サービス提供しているノードＢと通信しうる。そして、（恐らくはＣＲＳを除き、）干渉元のノードＢからの干渉を観察しない。
【００４４】
前述したように、たとえＴＤＭ分割を用いても、ＣＲＳは、後方互換性を維持するために、干渉元のノードＢによって常に送信されうる（例えば、ほとんどブランク・サブフレームで送信される）。例えば、リソースは、サービス提供しているノードＢに割り当てられるが、干渉元のノードＢは、サービス提供しているノードＢに割り当てられたリソースを用いてＣＲＳを送信しうる。その結果、干渉元のノードＢからのＣＲＳ送信は、顕著なパフォーマンス低下をもたらしうる。
【００４５】
したがって、ＵＥは、強い干渉元のＣＲＳ送信からの干渉に対処する必要がありうる。例えば、干渉元のＣＲＳトーンが、サービス提供しているセルのＣＲＳトーンと衝突しうる（すなわち、衝突しているＲＳ）場合、全体が本明細書において参照によって明確に組み込まれている米国特許公開２０１１／０１４３６７２号に記載されたものに類似したＣＲＳ干渉除去（ＩＣ）が適切でありうる。干渉除去は、強い干渉元によって生成された有効通信範囲ホールを除去することによって、ユーザ経験を高め、これによって、ＵＥの復号および測定パフォーマンスを高める。
【００４６】
ＣＲＳ  ＩＣを実行することは、一般に、サービス提供しているノードＢの送信と、１または複数のサービス提供していないノードＢの送信とから、１または複数のサービス提供していないノードＢのＣＲＳ送信を引き去ることを含む。例えば、ＵＥは、複数のアクセス・ポイントから信号を受信しうる。これらアクセス・ポイントは、信号強度が弱くなるにしたがって順序付けられうる。ＵＥは、干渉除去技術を用いて、最も強い受信信号を持つセルからのチャネルを推定し、最も強い受信信号を持つセルの共通基準信号を再構築し、最も強い受信信号を持つセルによって引き起こされた干渉を除去するために、再構築された信号を、受信信号から引き去りうる。この処理は、他のセルからの干渉を除去するために、受信信号について繰り返されうる。
【００４７】
別の例として、干渉元のＣＲＳトーンが、サービス提供しているセルの制御／データ・トーン（すなわち、衝突していないＲＳ）と衝突しうる場合、ＣＲＳ  ＩＣか、または、干渉を受けたリソース要素（ＲＥ）のパンクチャかの何れかが適切でありうる。パンクチャすることは、強い干渉の下で、ＲＥから生成されたログ尤度比（ＬＬＲ）を復号前にゼロ・アウトすることを含みうる。いくつかの実施形態の場合、ＵＥは、本明細書に記載されるように、あるパラメータに基づいて、ＣＲＳ  ＩＣとＲＥパンクチャとを動的に切り換えうる。
【００４８】
図７は、本開示のある態様にしたがって、ＣＲＳ  ＩＣかＲＥパンクチャかを、干渉に関連するパラメータに基づいて、動的に切り換えることができる、ＵＥ７２０およびサービス提供ノードＢ７１０を備えたシステム７００の例を例示する。例示されるように、サービス提供しているノードＢ７１０は、データ送信を生成するメッセージ生成モジュール７１４を含みうる。データ送信は、送信機モジュール７１２を介してＵＥ７２０に送信されうる。
【００４９】
ＵＥ７２０は、受信機モジュール７２６を介してデータ送信を受信しうる。ＵＥ７２０は、サービス提供しているノードＢ７１０からデータ送信を受信している間、１または複数のサービス提供していないノードＢからの送信（例えば、衝突していないＲＳ）をも受信する。これは、干渉をもたらしうる。本明細書にさらに記載されるように、ＵＥ７２０は、干渉に関連するパラメータを測定し、測定されたパラメータに基づいて、動的切換モジュール７２４を用いて、ＣＲＳ  ＩＣを実行するか、またはＲＥパンクチャを実行するかを決定しうる。ＵＥ７２０は、送信機モジュール７２２を介してフィードバックを送信しうる。そして、サービス提供ノードＢ７１０は、受信機モジュール７１６を介してフィードバックを受信しうる。
【００５０】
図８は、本開示のある態様にしたがって、ＣＲＳ  ＩＣかＲＥパンクチャかを、干渉に関連するパラメータに基づいて動的に切り換えるための動作８００の例を例示する。この動作８００は、例えば、ＵＥによって実行されうる。
【００５１】
８０２において、ＵＥは、サービス提供しているノードＢの送信と、１または複数のサービス提供していないノードＢの送信との干渉を受けたサブフレームを特定しうる。ここで、サブフレームは、サービス提供しているノードＢと、１または複数のサービス提供していないノードＢとの間のリソースの協調的な分割に基づいて特定されうる。１または複数のサービス提供していないノードＢの送信は、一般に、前述したように、干渉元のＣＲＳ送信（例えば、衝突していないＲＳ）を含みうる。例えば、図４のサブフレーム・フォーマット４１０に戻って示すように、１または複数のサービス提供していないノードＢは、サービス提供しているノードＢからのデータ送信と干渉しうるシンボル期間０，４，７または１１のサブキャリアで、ＣＲＳ送信を送信しうる。
【００５２】
強い干渉元を特定することは一般に、１または複数のサービス提供していないノードＢのおのおのの受信信号強度を測定することと、サービス提供していないノードＢのうちの少なくとも１つについて測定された受信信号強度がしきい値よりも高いか否かを判定することと、を含む。しきい値は、絶対的なメトリックでありうる。この場合、１または複数のサービス提供していないノードＢのおのおのの受信信号強度が、絶対的な値と比較される。または、しきい値は、相対的なメトリックでありうる。この場合、１または複数のサービス提供していないノードＢのおのおのの受信信号強度が、サービス提供しているノードＢの受信信号強度よりも高いか否かが判定されうる。
【００５３】
いくつかの実施形態の場合、１または複数のサービス提供していないノードＢのおのおのの受信信号強度を測定することは、（例えば、ＰＳＳ／ＳＳＳ／ＰＢＣＨを用いて）近隣セル探索から強度メトリックを受信することを備えうる。いくつかの実施形態の場合、１または複数のサービス提供していないノードＢのおのおのの受信信号強度を測定することは、１または複数のサービス提供していないノードＢのおのおののから受信されるＣＲＳ電力を推定することを備えうる。
【００５４】
８０４において、ＵＥは、干渉に関連するパラメータを測定しうる。このパラメータは一般に、ＣＲＳ  ＩＣの品質尺度、前述されたような各干渉元の受信信号強度、強い干渉元のＣＲＳと衝突するＲＥの量を示す数、および伝送ブロック・サイズ（ＴＢＳ）のうちの少なくとも１つを含む。
【００５５】
測定されたパラメータに基づいて、ＵＥは、８０６において、ＲＥパンクチャを実行するか、または、ＣＲＳ  ＩＣを実行するかを決定しうる（動的切換）。例えば、ＵＥは、ＣＲＳ  ＩＣ後の残りの干渉が少ないようである場合、ＣＲＳ  ＩＣが有利であると判定しうる。ＩＣ後の残りの干渉が少ない例は、ＣＲＳ  ＩＣ品質が良好であるか、または、除去された強い干渉がさほど強くないことを含む。別の例として、ＵＥは、強い干渉下におけるＲＥの数が多く、これによって、パンクチャ・ロスが大きい場合、ＣＲＳ  ＩＣが有利であると判定しうる。言い換えれば、強い干渉下におけるＲＥの数が多い場合、ＵＥが、ＲＥパンクチャを実行すると決定した場合、復号のために、ほんのわずかのＲＥしか残っていないことがありうる。これは、望ましくないことがありうる。
【００５６】
他の実施形態の場合、ＵＥは、（符号ブロック・セグメンテーションにおける）符号ブロックの数が多い場合、ＣＲＳ  ＩＣが有利であると判定しうる。ＰＤＳＣＨ送信の場合、複数の符号ブロックが、送信のために使用されうる。各符号ブロックはそれぞれ個別に符号化され復号されうるので、（例えば、サービス提供していないノードＢからの干渉によって）１つの符号ブロックが復号されない場合、ＰＤＳＣＨ送信は失敗しうる。ＴＢＳは、符号ブロックの数を決定しうる。そして、割り当てられたＲＢの数は、符号ブロックがＯＦＤＭシンボルによってどのように拡散されるのかを決定しうる。各符号ブロックは、ごく少数のＯＦＤＭシンボルにしか及ばず、全体的な復号パフォーマンスは、ＲＳシンボル（例えば、通常のＣＰでは、シンボル０，４，７または１１）のうちの１つにしか及ばない最悪の符号ブロックによって決定されうるので、激しくパンクチャされうる。
【００５７】
パンクチャが有利であるとＵＥが決定する例は、ＩＣ後の残りの干渉が大きい場合、強い干渉下のＲＥの数が少ないか、または、（符号ブロック・セグメンテーションにおける）符号ブロックの数が少ないことを含む。したがって、ＵＥは、ＣＲＳ  ＩＣ品質、干渉電力レベル、強い干渉下におけるＲＥの数、またはＴＢＳのうちの１または複数に基づいて、ＣＲＳ  ＩＣかパンクチャかの動的な決定を行いうる。
【００５８】
パンクチャに関し、強い干渉のおのおのについて、ＵＥは、検出されたセルＩＤから、干渉元のＣＲＳトーン位置を認識しうる。したがって、ＵＥは、（サービス提供しているノードＢからの）制御／データ・チャネルの復号前に、強い干渉下のＲＥをパンクチャしうる。いくつかの実施形態の場合、サブフレームのＲＥをパンクチャすることは、干渉を受けているサブフレームのＲＥから生成されたログ尤度比（ＬＬＲ）をゼロ・アウト（すなわち、ハード・パンクチャ）することを備えうる。いくつかの実施形態の場合、サブフレームのＲＥをパンクチャすることは、干渉をうけているサブフレームのＲＥから生成されたＬＬＲに、係数を掛けることを備えうる。この係数は、０以上１以下でありうる（すなわち、ソフト・パンチャ）。言い換えれば、ＵＥは、あるＲＥについて、ハード・パンクチャを実行するのではなく、ソフト・パンクチャを実行しうる。これによって、ＵＥは、復号のために、ソフト・パンクチャされたＲＥを未だに利用できうる。
【００５９】
いくつかの実施形態の場合、ＵＥは、各ＲＥ（またはサブフレーム、または、任意の時間／周波数単位）について動的な決定を行いうる。例えば、ＵＥは、残りの干渉が多いＲＥに対してはパンクチャを行い、残りの干渉が少ないＲＥに対してはＣＲＳ  ＩＣを行うように決定しうる。別の例として、ＵＥは、干渉元毎に、動的な決定を行いうる。例えば、ＵＥは、サービス提供していない各ノードＢからの干渉に関連するパラメータに基づいて、第１のサービス提供していないノードＢについてＣＲＳ  ＩＣを実行し、第２のサービス提供していないノードＢについてＲＥパンクチャを実行することを決定しうる。また別の例として、ＵＥは、干渉元のグループ毎に、動的な決定を行いうる。ここで、干渉元のグループは、同じＣＲＳトーン位置を共有する。
【００６０】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６１】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６２】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６３】
本明細書の開示に関連して説明された方法またはアルゴリズムのステップは、ハードウェアで直接に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６４】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００６５】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
【図１】
2013543324.tif 000004
【図２】
2013543324.tif 000005
【図３】
2013543324.tif 000006
【図４】
2013543324.tif 000007
【図５】
2013543324.tif 000008
【図６】
2013543324.tif 000009
【図７】
2013543324.tif 000010
【図８】
2013543324.tif 000011
【国際調査報告】
2013543324.tif 000012
2013543324.tif 000013
2013543324.tif 000014